(57)【特許請求の範囲】
【請求項１】
冷却通路（１０）内の熱伝達及び冷却効率を強化する方法であって、
該通路内の冷却流れ方向にほぼ垂直に、内向きに突出する複数のタービュレータ・リング（１４）を該通路内に形成する段階と、
パターン化された電極（１６）を用いて、前記タービュレータ・リングの１つ又はそれ以上の中に、前記流れ方向に平行に延びる少なくとも１つのギャップ（２２）を形成する段階と、
を含むことを特徴とする方法。
【請求項２】
被加工物（１２）内の冷却通路（１０）の内側の半径方向内向きに突出するタービュレータ・リング中にギャップ（２２）を形成するための方法であって、
その上に電気絶縁材料（１８）を具えており、該電気絶縁材料が、非絶縁部分（２０）により中断され、従って前記タービュレータ・リング内の意図したギャップの位置にほぼ向かい合って、その外側表面の周りに非絶縁部分（２０）のパターンを生じる電極（１６）を前記通路（１０）の内部に配置する段階と、
前記冷却通路を通して前記電極と前記冷却通路の内部表面との間に電解液を流す段階と、
前記電極と前記被加工物との間に電流を流して、前記タービュレータ・リング（１４）中に前記ギャップ（２２）を形成する段階と、
を含むことを特徴とする方法。
【請求項３】
前記少なくとも１つのギャップ（２２）は、２つ又はそれ以上の該ギャップを含むことを特徴とする、請求項１又は請求項２に記載の方法。
【請求項４】
前記少なくとも１つのギャップ（２２）は、前記複数のタービュレータ・リング（１４）の各々の中に形成されることを特徴とする、請求項１又は請求項２に記載の方法。
【請求項５】
前記タービュレータ・リング（１４）及び前記ギャップ（２２）は、電解加工により形成されることを特徴とする、請求項１又は請求項２に記載の方法。
【請求項６】
前記冷却通路（１０）は、ガスタービンノズル構成部品（１２）内に設けられていることを特徴とする、請求項２に記載の方法。
【請求項７】
前記冷却通路（１０）は、ガスタービンバケット構成部品（１２）内に設けられていることを特徴とする、請求項２に記載の方法。
【発明の詳細な説明】
【０００１】
【発明の属する技術分野】
本発明は、ノズル又はバケットのようなタービン構成部品内の冷却通路に関し、具体的には、熱伝達を強化し従って冷却効率を強化するタービュレータ付き冷却通路に関する。
【０００２】
【従来の技術】
ガスタービン効率は、高温ガス通路に沿って流れタービンブレードを駆動するタービンガスの温度に正比例する。ガスタービンは、一般的に２７００°Ｆにもなる運転温度を有する。これらの高温に耐えるために、バケットは、最新の材料で製造され、一般的には圧縮機の吐出空気である冷却媒体をバケットを通して流すための平滑なボア冷却通路を一般に含む。通路はまた、一般的に半径方向内側のバケット根元から半径方向外側のバケット先端まで延びる。平滑なボア通路が今まで利用されてきたが、タービュレータなどの乱流促進装置も、内部の熱伝達率を高めるために多くのガスタービンバケットにおいては用いられている。熱伝達の強化は、同じ冷却流量において平滑なボア通路と比べて２．５倍もの高さになり得る。通常、タービュレータは、冷却通路の内部表面に沿って内部突条又は粗面を含み、一般的にセラミックコアを用いて冷却通路の内側に鋳造される。しかしながら、多くの現在用いられているタービンにおいては、バケットの多くは、鋳造プロセスにより形成された平滑な内部壁面を備える内部冷却通路を有しており、タービュレータを用いなければ冷却効果の強化は得られない。多くの発電タービンバケットでは、成形チューブ電解加工（ＳＴＥＭ）により穿孔された円形の丸孔を用いて、タービン翼形部内側の半径方向の冷却流れ通路を形成する。ＳＴＥＭは、導電材料中に３００：１のような高いアスペクト比をもつ小径の深い孔を非接触穿孔するのに用いられる。アスペクト比は、孔の最も大きい横方向寸法、例えば直径に対する孔の長さ又は深さの比であり、この孔の直径は、一部の特定の用途においては、数ミリメートルほどまで小さい場合がある。ＳＴＥＭプロセスは、電極と被加工物の間にある空間内を流れる電解質を通してそれらの間に電流を流すことを用いて、電気溶解により材料を取り除く。
【０００３】
【発明が解決しようとする課題】
冷却通路の内側の突条すなわち環状のタービュレータ・リングは、’５７９出願中に記載されているようにＳＴＥＭ穿孔プロセスの間に形成することができる。これら円形のタービュレータ・リングは、冷却流れ方向に垂直に通路中に突出して、冷却通路の内側の熱伝達を強化するための乱渦流を生成する。一般的に、ある期間現場で使用された後には、リング間の表面には、冷却空気からのごみが蓄積して、望ましくない絶縁層を形成し、従って冷却効率を低下させることになる。ＳＴＥＭで穿孔されたタービュレータ付き冷却通路の内側の熱伝達を更に強化し、同時にごみの蓄積を減少させ、従って冷却効率を維持することができる改良された形状を有するのが望ましい。
【０００４】
【課題を解決するための手段】
本発明の方法において、既に形成されているタービュレータ・リングは、追加の空気通路を提供しかつリング間の流れの淀み領域を防止する軸方向に向いたギャップを備えるように改造される。
【０００５】
ＳＴＥＭプロセスを用いてギャップを形成するために、現存の半径方向の冷却通路より断面が僅かに小さい電極が選択される。電極は、外部表面全体に絶縁誘電材料すなわち被覆を有する。被覆の一部は、その後、例えばレーザアブレーション技術を用いて除去されて所望のギャップパターンを形成する。ギャップ間の軸方向の間隔距離は、冷却通路内のタービュレータ・リング間の間隔距離と等しい。周方向には、各リングに対して少なくとも２つのギャップが設けられる。ギャップは、隣接するリング間で整合されるか又はオフセットされるかのいずれかにすることができる。次いで、パターン化された電極は、現存する冷却通路の内側に配置され、ＳＴＥＭプロセスを用いてタービュレータ・リング内に多数の軸方向に向いたギャップが形成される。具体的には、パターン化された電極は、電極と被加工物（バケット）との間の電解液と電流の印加との組合せにより、タービュレータ・リングの隣接部分から金属を溶解してリング中に軸方向のギャップを形成する。すでに上述したように、これらのギャップは追加の空気通路を提供することになるので、空気がギャップの端縁を通過するとき、追加の乱渦流が生成されて、表面の熱伝達を強化し従って冷却効率を強化すると同時にごみの蓄積も減少させることになる。
【０００６】
従って、より広い形態において、本発明は、冷却通路内の熱伝達及び冷却効率を強化する方法に関し、該方法は、通路内の冷却流れ方向にほぼ垂直に、内向きに突出する複数のタービュレータ・リングを該通路内に形成する段階と、パターン化された電極を用いて、タービュレータ・リングの１つ又はそれ以上の中に、流れ方向に平行に延びる少なくとも１つのギャップを形成する段階とを含む。
【０００７】
別の形態において、本発明は、被加工物内の冷却通路の内側の半径方向内向きに突出するタービュレータ・リング中にギャップを形成するための方法に関し、該方法は、（ａ）その上に電気絶縁材料を具えており、該電気絶縁材料が、非絶縁部分により中断され、従ってタービュレータ・リング内の意図したギャップの位置にほぼ向かい合って、その外側表面の周りに非絶縁部分のパターンを生じる電極を前記通路の内部に配置する段階と、（ｂ）冷却通路を通して電極と冷却通路の内部表面との間に電解液を流す段階と、電極と被加工物との間に電流を流して、タービュレータ・リング中にギャップを形成する段階とを含む。
【０００８】
【発明の実施の形態】
図１を参照すると、機械構成部品１２（例えば、高圧タービンノズル又はバケット）内の冷却通路１０は、一般的にバケット（又は他の構成部品）が鋳造されるときに、平滑なボアとして形成される。その後、通路は、該通路のほぼ全長に沿って軸方向に間隔を置いて配置された状態になった複数の環状の突条すなわちタービュレータ・リング１４を含むように成形し直される。タービュレータ・リング１４は、ＳＴＥＭ穿孔プロセスの間にパターン化された電極によって形成されることができ、このパターン化された電極は、環状の溝を、該環状の溝の間にタービュレータ・リングを後に残して通路内に形成する。言い換えれば、最初の通路直径は、タービュレータ・リングの内径とほぼ同一である。’５７９出願においては、タービュレータ・リング及びギャップは、単一の工程で形成される。本発明では、ＳＴＥＭ穿孔を利用して、リング中にギャップがない現存のタービュレータ付き通路に対して「改造」を施すことができる強化を行う。
【０００９】
図２は、予め形成されたタービュレータ・リング１４中に軸方向に向けられかつ周方向に配列されたギャップを形成するように設計された電極１６を示す。具体的には、電極１６は、通路１０の直径より僅かに小さく、また、特にタービュレータ・リング１４の内径よりも小さい外径を有する中空で円筒形の管である。この例示的な実施形態において、電極の外径は、タービュレータ・リング１４の内径より約０．００５インチ小さい。電極１６は、ほぼその全長にわたって誘電体、すなわち電気絶縁被覆１８を施される。被覆１８の一部は、例えば、レーザアブレーション法により選択的に除去されて、図２に示すような所望のギャップパターンを形成する。電極の今露出された（すなわち、非絶縁の）部分２０の形状、寸法及び軸方向の間隔距離は、タービュレータ・リング１４中の所望のギャップ２２に対応する。具体的には、非絶縁ギャップ部分は、電極１６とタービュレータ・リングとの間を流れる電解液と、電極とバケットとの間の電流の印加と協働して、電極の露出した部分２０に近接するタービュレータ・リング１４から金属材料を取り除き、その結果ギャップ２２（図４を参照）を形成する。周方向には、タービュレータ・リング１４毎に少なくとも１つ、好ましくは２つのギャップ２２を有することが好ましく、またギャップ２２は隣接するタービュレータ間で整合されていても又はオフセットされていてもよい。
【００１０】
ギャップ２２は、追加の空気通路を提供し、タービュレータ間に流れの淀み領域が形成されるのを防止する。空気がギャップ２２を通過すると、追加の乱渦流が生成されて表面の熱伝達を強化することになる。ギャップ２２はまた、タービュレータ・リング間のごみの蓄積を減少させ、それによって冷却効率を維持する。
【００１１】
本発明を、現在最も実用的で好ましい実施形態であると考えられるものに関して説明してきたが、本発明は、開示した実施形態に限定されるべきではなく、反対に、特許請求の範囲の技術思想及び技術的範囲に含まれる様々な変更及び均等な構成を保護しようとするものであることを理解されたい。
【００１２】
特許請求の範囲に示す参照符号は、本発明の技術的範囲を狭めることを意図するものではなく、それらを容易に理解することを意図するものである。
【図面の簡単な説明】
【図１】  従来のタービュレータ付き冷却通路の断面図。
【図２】  本発明によるパターン化された電極の概略側面図。
【図３】  図１に類似しているが、図２の電極がその中に挿入されている断面図。
【図４】  本発明による熱伝達強化用のギャップを有する、タービュレータ付き冷却通路の一部の斜視図。
【符号の説明】
１０  冷却通路
１２  被加工物
１４  タービュレータ・リング
２２  ギャップ
【図１】
0004216540.tif 000002
【図２】
0004216540.tif 000003
【図３】
0004216540.tif 000004
【図４】
0004216540.tif 000005